(57)【要約】  【課題】  【解決手段】様々な音を発生するよう構成された共振室と、発生される音を変化させるまたは変更することができる少なくとも一つの手段とを有するドラムである。この手段は、複数の内部のスネアであり、演奏者が叩く装置の内側面に接触可能として、発生する音の種類を変更する。このドラムはまた、前記共振室内に設けられ演奏者が叩くドラムの内側面を選択的に叩くことができるよう構成されたバスドラムスティックと、ドラムの外部にあって演奏者が操作するスティックを動かす手段とを備える。【選択図】無し【特許請求の範囲】
【請求項１】
演奏者が叩くよう構成された外側面を有し、様々な音を発生するよう構成された共振室と、前記発生する音をユーザーが変化または変更させることができる手段とを具えることを特徴とするドラム。
【請求項２】
請求項１に記載のドラムにおいて、前記ドラムが、中空固体立方体または直方体であることを特徴とするドラム。
【請求項３】
請求項２に記載のドラムにおいて、演奏者が叩くように構成された外側面以外の前記ドラムの総ての面の素材が、比較的固相であることを特徴とするドラム。
【請求項４】
請求項２に記載のドラムにおいて、演奏者が叩くように構成された面が十分に薄く、叩いた際に振動することを特徴とするドラム。
【請求項５】
請求項３または請求項４に記載のドラムにおいて、当該ドラムが、前記演奏者により腰掛けとして使用されるよう構成されていることを特徴とするドラム。
【請求項６】
請求項１乃至５のいずれかに記載のドラムにおいて、演奏者が叩くように構成された面の反対側の面が、開口部を具えることを特徴とするドラム。
【請求項７】
請求項１乃至６のいずれかに記載のドラムであって、前記演奏者が叩く外側面の内側面に選択的に接触可能な複数の内部スネアを具え、発生する音の種類を変えることを特徴とするドラム。
【請求項８】
請求項７に記載のドラムにおいて、前記スネアが複数の薄い細長い部材を具え、当該部材が、互いにほぼ平行になるように配置され、前記内側面に接触し、または前記部材のそれぞれの端部が所望の間隔で近接されていること特徴とするドラム。
【請求項９】
請求項８に記載のドラムにおいて、前記スネアを前記面から離す手段が設けられていることを特徴とするドラム。
【請求項１０】
請求項９に記載のドラムにおいて、前記スネアが柔軟であり、前記スネアを前記面から離す手段が、前記スネアの下側を通り当該スネアの長さ方向に延在する部材であって２つの位置の間を移動可能な部材を具え、一方の位置では前記スネアが前記面に接触し、他方の位置では前記スネアが前記面から離れることを特徴とするドラム。
【請求項１１】
請求項１０に記載のドラムにおいて、前記スネアがワイヤであることを特徴とするドラム。
【請求項１２】
請求項７乃至１１のいずれかに記載のドラムにおいて、前記スネアが前記面の両側間に延在することを特徴とするドラム。
【請求項１３】
請求項１０乃至１２のいずれかに記載のドラムにおいて、前記スネアの下側を通過する部材が、前記共振室を越えて延在し、前記演奏者が操作し得る伸長部を具え、前記スネアにより採用された状態を変化させることを特徴とするドラム。
【請求項１４】
請求項１乃至１３のいずれかに記載のドラムにおいて、前記共振室内にハンドルとヘッドとを具えるバスドラムスティックが設けられ、当該ヘッドから離れた前記ハンドルの端部が部分的に回転するように設けられ、前記ヘッドが前記共振室の内側面に選択的に接触可能であることを特徴とするドラム。
【請求項１５】
請求項１４に記載のドラムにおいて、前記バスドラムスティックのヘッドが、前記面から偏移して設けられていることを特徴とする。
【請求項１６】
請求項１５に記載のドラムにおいて、前記ドラムのハンドルを回転させることが可能な前記手段が、前記共振室を越えて延在し、フットペダルに連結され、前記演奏者が当該フットペダルを操作することにより、前記スティックヘッドが回転して前記内側面を叩くことを特徴とするドラム。
【請求項１７】
請求項５乃至１６のいずれかに記載のドラムにおいて、前記演奏者が叩くように構成した面の反対側の面に設けられた前記開口部を通る回転可能な付加部材があり、当該付加部材が、前記ドラムにより発生する音の周波数を変更するよう構成されていること特徴とするドラム。
【請求項１８】
請求項１乃至１７のいずれかに記載のドラムであって、別の楽器により生じる音を発生するように構成された取り付け可能なサウンドエフェクトボードを具えることを特徴とするドラム。
【請求項１９】
請求項１８に記載のドラムにおいて、前記サウンドボードが、前記演奏者が叩く面に取り付けられることを特徴とするドラム。
【請求項２０】
請求項１９に記載のドラムにおいて、前記サウンドボードが、当該サウンドボードの背面に取り付けられた複数のスネアを具えることを特徴とするドラム。
【請求項２１】
請求項１９に記載のドラムおいて、前記サウンドボードが、前記背面に取り付けられた複数のタンバリンジングルを具えることを特徴とするドラム。
【請求項２２】
請求項１８乃至２１のいずれかに記載のドラムにおいて、前記サウンドボードが、前記演奏者が叩く前記面の隅の近くに取り付けられるよう構成され、円の切片の形状をしており、前記ドラムを叩くの通常の動作を妨害しない寸法であることを特徴とするドラム。
【発明の詳細な説明】
【技術分野】
【０００１】
本発明は楽器の分野に関し、特に、ユーザが音域を作り出すことができるよう構成され、単独で使用したり他の楽器と合わせて使用することができる改良型ドラム装置に関する。
【０００２】
特に、このドラムは、カホンや箱形のドラムとして一般に知られている種類のドラムであって中空固体直方体やチューブが効果的な共振室を提供することを利用しており、この知識を活用して、長年、ドラムや“ティーチェスト”バスといった楽器が作られている。ドラムを作る場合、ドラムは座を提供するのに十分な大きさであり、少なくとも一の面は所望の音を発生すべく振動可能な素材でできている。
【背景技術】
【０００３】
この種のドラムは、人気のある楽器であり、現在では一般にフラメンコやキューバ音楽で使用され、特定の音楽スタイルに適した特定の音を発生するよう作られている。それぞれの音楽スタイルに関連する音は異なるため、以前は音楽のスタイル毎に異なるドラムを提供しなければならなかった。
【０００４】
別々のドラムの必要性に応えるべく、ユーザがスイッチやレバーによって異なるスタイルの音に切り替えることができる複合式ドラムが作られた。これにより、ユーザは同じドラムを用いて、フォーク、ジャズ、およびその他の音楽と同じようにフラメンコやキューバ式音楽を演奏することができる。
【発明の開示】
【発明が解決しようとする課題】
【０００５】
本発明の目的は、複数のスタイルの音を発生するだけでなく、ユーザが特定の音楽スタイルに応じて、音域や音の周波数を切り替え、ドラムと共によく使用される他の楽器の音を出すことができる改良型ドラムを提供することである。
【課題を解決するための手段】
【０００６】
本発明は、様々な音を発生するよう構成された共振室と、発生する音を変化または変更することができる少なくとも一の手段とを備える改良型ドラムを提供する。
【０００７】
第１の手段は、演奏者が叩く装置の内側面に接触可能な複数の内部スネアであることが好適であり、発生する音の種類を変える。
【０００８】
第２の手段は、前記共振室の内部に設けられ、その動きによって演奏者が叩く前記ドラムの内側面を選択的に叩くことができるよう構成されたバスドラムスティック装置であることが好適であり、前記手段により、前記ドラムに外付けされた演奏者により操作可能な前記スティックが動作する。
【発明を実施するための最良の形態】
【０００９】
本実施例では、ドラム装置１０は、背面１２または装置側面に中央開口部１３を有する箱形である。
【００１０】
本実施例では、この装置は大部分が、所望の強度を有する木やその他の材料でできているが、前面１１は、仕上げ、強度、および発生する音により特別に選ばれた合板でできている。しかしながら、この前面および／または装置全体を、達成したい音に応じて、アルミニウム、板金、または合成材料といった他の適切な材料から作ることもできる。
【００１１】
ドラム装置の内部は中空状であり、当該装置の共振空洞として機能する。この共振空洞は、ドラム装置が発する総ての音用の自然の増幅器である。
【００１２】
複数のスネアワイヤ２０がドラム装置内部に設けられている。好適な構成では、スネアワイヤは、互いが均等にスペースを空けて設けられており、ボックスの両サイドの内側に取り付けられ、ブロック２１により適切な位置にクランプで止め付けられている。
【００１３】
第１のポジションでは、図５に示すように、スネアワイヤが装置の内側前面２２からスペースを空けて保持されているので、これらのワイヤが、ドラムが発する音を妨げることがない。第２のポジションでは、図４に示すように、スネアワイヤは装置の内側前面に接触するように保持されており、ドラムを叩くときに、スネアワイヤが、通常の反響を妨げて異なる音を発生する。
【００１４】
第１のポジションと第２のポジションとの間のスネアの動きは、一の外側面に配置されたレバーアーム２４等により操作されるシャフト機構２３を介して制御される。このシャフト機構は、スネアワイヤの上側に位置する回転可能なシャフト部材２３を備える。このシャフトはレバー２４に連結している。したがって、レバーを回転させることでシャフト部材が回転する。この回転は、図示するように直接的に行うことができ、あるいはシャフト部材を連結したギア等により行ってもよい。また、サドル部材をシャフトに連結してもい。このサドル部材はワイヤでできており、スネアワイヤの下側に配置された中央部２６を具えており、シャフトが前方または後方に回転する際にスネアワイヤを持ち上げて移動させるよう構成されている。
【００１５】
マグネットをドラム装置の内側前面に設けて、レバーを回転させてワイヤをマグネットに近接させる際に、マグネットがワイヤを適切な位置に引き寄せて保持するようにして、ドラムの表面を叩いたときに所望の音を発生する。代替的に、構成部材の向きが正しい場合に、スネアを内側前面に接触させるようにしてもよい。
【００１６】
これらのポジションは、図４および図５より明らかである。
【００１７】
また、ヘッド３１およびシャフト３２を具えるバスドラムスティック３０がボックスの内部に設けられ、当該シャフトは、ボックスの両側の壁を貫通して延在しており、ドラムペダルが連結されている外側端部連結手段３４を具える回転シャフト３３に連結されている。
【００１８】
ドラムスティックは通常、シャフト３３とボックスの側壁とを連結するフレキシブルな伸縮可能な伸張部材３４によって直立したポジションに保持される。
【００１９】
使用時には、フットペダル４０が部材３４に連結され、当該フットペダルを踏むと、スティック３０が、図７の実線で示す位置から、破線で示すドラムの前面１１と接触する位置へ移動する。
【００２０】
理解できるように、ドラムは叩く位置によって音色が異なる。一般に、ドラムを叩く位置が面１１の縁の近いほど音が高くなり、ドラムの中心部に近いほど音は実質的に低くなる。
【００２１】
ドラムスティック３０に低音を発生することが求められる場合、スティックの頭部は、面１１を叩く際に当該面のほぼ中心を叩くようにして低音を発生する。
【００２２】
この位置の違いによる音の違いを利用して、演奏者がドラムを叩くときに、当該演奏者は通常叩く面の位置を変えて、所望の様々な音を出す。
【００２３】
ドラム装置に設けられた開口部１３に取り付けるよう構成された付加部材１３が設けられている。好ましい実施例では、この付加部材は、装置の背面に設けた中央開口部に固定するよう構成された“ブームチューブ”である。この付加部材は少なくとも一のクリップを具え、当該付加部材を中央開口部の壁に連結して固定するよう構成されている。この付加部材はまた、チューブの縁の周囲にシールを設けて開口部に取り付けて、確実に音漏れを防止する。これにより総ての音はチューブを通る。
【００２４】
“ブームチューブ”の機能は、装置が発生する音の周波数を変えることにより低音を強調することである。この周波数は、少なくとも１オクターブ音を下げることによって変わり、温かみのあるアコースティックな音を発生する。
【００２５】
本発明のドラム装置は、また、図８、図９、図１０、および図１１に例示する取り付け可能なサウンドエフェクトボードを具える。このボードは、ドラム装置に取り付け外し可能に取り付けて、ドラムから得られる音と違う変更された音域を発生する。これらの音は、ドラムセットと共に通常使用される楽器の音と同じである。取り付け可能なサウンドエフェクトボードを受けて適切な場所に保持するように構成された少なくとも一の取り付け手段を、ドラムの前面１１に設けることができる。この取り付け手段はベロクロ（登録商標）タブであってもよく、好適な実施例では、取り付け手段は、マグネットのように取り外す際に音を出さない。これにより、ユーザがサウンドエフェクトボードを装置に取り付けあるいは取り外す際に生ずる背後のノイズをマイクロホンが検知できなくなる。これらのボードにより発生される音は、“クラック”、トライアングル、タンバリン、“スネア”、“カバサ”、“シンバル”、“フィンガーシンバル”、“シェイカー”、“カスタネット”、“ギロ”、および“Ａｆｕｃｈｅ”の音であると考えられる。しかしながら、使用されるこれらの音は、前述したリストに制限されることを意図するものではない。
【００２６】
図８および図９のサウンドエフェクトボードはスネア音を発生し、図１０および図１１に示すエフェクトボードはタンバリンの音を発生する。
【００２７】
バスドラムスティックおよびその操作ペダルが設けられている装置は、ギターリスト等のための“ストンプボックス”として用いて、ユーザが、所望のビートや拍子を提供することができる。
【００２８】
使用時には、演奏者は、脚をドラムの両サイドにおいてドラムの上面２８に座る。ドラムを演奏するには、演奏者は単純に前面１１を所定のリズムで叩き、叩く面の位置に応じて音の周波数が変わる。また、音色や周波数をさらに変更する必要がある場合、ユーザは、“バスチューブ”付加部材をドラムの後ろに取り付けて低音を１オクターブ下げることができるが、実際には周波数の高い音を減衰させて低音が変化した印象を与えてもよい。
【００２９】
その他の楽器の音とドラムのビートを組み合わせるには、ユーザは単に、特定の取り付け可能なサウンドエフェクトボードを前面に取り付けて間欠的／周期的に当該サウンドエフェクトボードを叩いて、所望の効果を奏することができる。
【００３０】
演奏者がドラムスティックに取り付けられたペダルに片足を載せて足を上下に動かすと同時に、ドラムのビートを提供することができる。これは通常、スティックが面を叩くときのスティックヘッドの位置のため、装置の最も低い周波数である。
【００３１】
ドラム装置の特定の実施例を記載したが、同じ原理をティーチェストバスやその他の類似する構成に適用可能である。また、ドラム装置の全実施例を、保管や輸送を容易にするために折り畳み可能とすることが考えられる。
【００３２】
さらに、本発明のその他の実施例には、前述した特徴を変更したものが考えられる。しかしながら、本発明のその他の実施例は、前述した特徴をいくつか組み合わせたものであり、目的や意図から逸脱しない範囲で変更および修正することができる。
【図面の簡単な説明】
【００３３】
本発明をより明確に理解するために、以下の図および特定の一実施例を参照して、制限のない例を示す。
これらの図において：
【図１】図１は、本発明によるドラムの正面の斜視図である。
【図２】図２は、本発明によるドラムの背面図である。
【図３】図３は、ドラムの背面図であり、スネアを示す。
【図４】図４は、４−４線に沿った断面図であり、ドラムの内側面に隣接するスネアを示す。
【図５】図５は、図４と同様の断面図であり、ドラムからスペースを空けて設けたスネアを示す。
【図６】図６は、バスドラムスティックを設けたドラムの背面図である。
【図７】図７は、図６の７−７線に沿った断面図である。
【図８】図８は、取り付け用、またはドラムに取り付けたときのアクセサリーボードの外観を示す図である。
【図９】図９は、図８に示すボードの底面図である。
【図１０】図１０は、アクセサリーの他の形態を示す正面図である。
【図１１】図１１は、図１０に示すボードの底面図である。
【図１】
2008500565.tif 000002
【図２】
2008500565.tif 000003
【図３】
2008500565.tif 000004
【図４】
2008500565.tif 000005
【図５】
2008500565.tif 000006
【図６】
2008500565.tif 000007
【図７】
2008500565.tif 000008
【図８】
2008500565.tif 000009
【図９】
2008500565.tif 000010
【図１０】
2008500565.tif 000011
【図１１】
2008500565.tif 000012
【手続補正書】
【提出日】平成19年2月5日(2007.2.5)
【手続補正１】
【補正対象書類名】図面
【補正対象項目名】全図
【補正方法】変更
【補正の内容】
【図１】
2008500565.tif 000013
【図２】
2008500565.tif 000014
【図３】
2008500565.tif 000015
【図４】
2008500565.tif 000016
【図５】
2008500565.tif 000017
【図６】
2008500565.tif 000018
【図７】
2008500565.tif 000019
【図８】
2008500565.tif 000020
【図９】
2008500565.tif 000021
【図１０】
2008500565.tif 000022
【図１１】
2008500565.tif 000023
【国際調査報告】
2008500565.tif 000024
2008500565.tif 000025